(57)【要約】【課題】包装容器から販促用の付属品が脱落しないように改良された販促用サイドシール袋を提供することを主要な目的とする。【解決手段】販促用サイドシール袋１０は、上方に開口部１を有する収納袋２と、収納袋２の開口部１の縁から延びて設けられたフラップ３とを備える。フラップ３を開口部１を閉じる方向に折り曲げた場合に、フラップ３の、収納袋２と接触する側の面に第１の粘着材層４が設けられている。またフラップ３を開口部１を閉じる方向に折り曲げた場合に、収納袋２の、フラップ３と接触する側の面に第２の粘着材層５が設けられている。【選択図】図１
2014125252.tif 000002
【特許請求の範囲】
【請求項１】
上方に開口部を有する収納袋と、
前記収納袋の前記開口部の縁から延びて設けられたフラップと、を備え、
前記フラップを前記開口部を閉じる方向に折り曲げた場合に、前記フラップの、前記収納袋と接触する側の面に第１の粘着材層が設けられており、さらに
前記フラップを前記開口部を閉じる方向に折り曲げた場合に、前記収納袋の、前記フラップと接触する側の面に第２の粘着材層が設けられている、販促用サイドシール袋。
【請求項２】
上方に開口部を有する収納袋と、
前記収納袋の前記開口部の縁から延びて設けられたフラップと、を備え、
前記フラップを前記開口部を閉じる方向に折り曲げた場合に、前記フラップの、前記収納袋と接触する側の第１の面に第１の粘着材層が設けられており、さらに
前記フラップを前記開口部を閉じる方向に折り曲げた場合に、前記収納袋の、前記フラップと接触する側の第２の面に第２の粘着材層が設けられている販促用サイドシール袋、の製造方法であって、
ロール状のフィルム原反を準備する工程と、
前記フィルム原反からフィルムを引っ張り出しながら、前記フラップができるように半折して、かつフィルムを進行方向に対して９０°回転して折り畳む工程と、
塗工機を用いて、前記第１の面に前記第１の粘着材層を形成するための粘着剤溶液を塗布し、同時に前記第２の面に前記第２の粘着材層を形成するための粘着剤溶液を塗布する工程と、
乾燥機を用いて溶剤を揮発させる工程と、
離型紙貼り付け機を用いて、第１の粘着材層と第２の粘着材層の上に離型紙を貼り付ける工程と、
溶断刃を用いて、溶断シールし、両サイドがシールされたシール袋を形成する工程と、
を備えた、販促用サイドシール袋の製造方法。
【請求項３】
収納袋に販促用の付属品を入れた請求項１に記載の販促用サイドシール袋を備え、
包装容器の側壁に前記第２の粘着材層を用いて前記サイドシール袋を貼り付け、前記包装容器の上端部、下端部又は側方端部を包むように前記フラップを折り曲げて、前記第１の粘着材層を用いて、前記フラップを前記包装容器の反対側の側壁に貼り付けてなる、販促グッズ。
【請求項４】
前記端部から前記第２の粘着剤層までの距離と、前記上端部、下端部又は側方端部から前記第１の粘着材層までの距離とを等しくし、前記第１の粘着材層と前記第２の粘着材層とが部分的に接触し接着している、請求項３に記載の貼り付け景品用の販促グッズ。
【発明の詳細な説明】
【技術分野】
【０００１】
本発明は一般にサイドシール袋に関するものであり、より特定的には、商品の包装容器に付属品を付けて販売するような場合に、その中に付属品を入れて包装容器に貼り付けることができる販促用サイドシール袋に関する。この発明はまたそのような販促用サイドシール袋の製造方法に係る。この発明はまたそのような販促用サイドシール袋に付属品を入れて包装容器に貼り付けてなる販促グッズに関する。
【背景技術】
【０００２】
薬局、スーパなどの売り場内においては、販促のために魅力ある景品或いは使用説明書などの付属品を包装容器に付けて販売するような場合がある。そのような場合、該付属品を透明なサイドシール袋に収納して、そのサイドシール袋を包装容器の表面に貼り付けると、付属品の存在がよく見えて、購買者の購買意欲を喚起できる。
【発明の概要】
【発明が解決しようとする課題】
【０００３】
しかし、付属品を収納したサイドシール袋を包装容器の表面に貼り付ける場合、接着箇所が一箇所であると外れ易く、包装容器から付属品が脱落してしまい、当該包装容器の販促を図るという目的が充分に達成できない。
【０００４】
本発明は、斯かる実情に鑑み、包装容器から販促用の付属品が脱落しないように改良された販促用サイドシール袋を提供することを目的とする。
【０００５】
本発明の他の目的は、そのような販促用サイドシール袋の製造方法を提供することにある。
【０００６】
本発明の他の目的は、そのようなサイドシール袋に販促用の付属品を収納して包装容器に貼り付けてなる販促グッズを提供することにある。
【課題を解決するための手段】
【０００７】
本発明に係る販促用サイドシール袋は、上方に開口部を有する収納袋と、上記収納袋の上記開口部の縁から延びて設けられたフラップと、を備える。上記フラップを上記開口部を閉じる方向に折り曲げた場合に、上記フラップの、上記収納袋と接触する側の面に第１の粘着材層が設けられており、さらに上記フラップを上記開口部を閉じる方向に折り曲げた場合に、上記収納袋の、上記フラップと接触する側の面に第２の粘着材層が設けられている。
【０００８】
本発明の他の局面に従う方法は、上方に開口部を有する収納袋と、上記収納袋の上記開口部の縁から延びて設けられたフラップと、を備え、上記フラップを上記開口部を閉じる方向に折り曲げた場合に、上記フラップの、上記収納袋と接触する側の第１の面に第１の粘着材層が設けられており、さらに上記フラップを上記開口部を閉じる方向に折り曲げた場合に、上記収納袋の、上記フラップと接触する側の第２の面に第２の粘着材層が設けられている販促用サイドシール袋、の製造方法に係る。まず、ロール状のフィルム原反を準備する。上記フィルム原反からフィルムを引っ張り出しながら、上記フラップができるように半折して、かつフィルムを進行方向に対して９０°回転して折り畳む。塗工機を用いて、上記第１の面に上記第１の粘着材層を形成するための粘着剤溶液を塗布し、同時に上記第２の面に上記第２の粘着材層を形成するための粘着剤溶液を塗布する。乾燥機を用いて溶剤を揮発させる。離型紙貼り付け機を用いて、第１の粘着材層と第２の粘着材層の上に離型紙を貼り付ける。溶断刃を用いて、溶断シールし、両サイドがシールされたシール袋を形成する。
【０００９】
本発明の粘着材層を形成するものとしては、上記溶剤希釈タイプの粘着剤以外にも、ホットメルト型粘着剤（この場合、乾燥工程は不要）、離型紙付き粘着テープ（この場合、乾燥工程及び離型紙貼付け工程不要）なども用いることができる。
【００１０】
本発明に係る販促用サイドシール袋は、収納袋に販促用の付属品を入れ包装容器に貼り付けて販促グッズを作る場合に用いられる。すなわち、包装容器の側壁に上記第２の粘着材層を用いて上記サイドシール袋を貼り付け、収納袋に付属品を入れて、上記包装容器の上端部、下端部又は側方端部を包むように上記フラップを折り曲げて、上記第１の粘着材層を用いて、上記フラップを上記包装容器の反対側の側壁に貼り付けて用いる。
【発明の効果】
【００１１】
本発明に係る販促用サイドシール袋によれば、包装容器の上端部、下端部又は側方端部を包み込むようにフラップを折り曲げて、２箇所で接着するので、結局包装容器の上端部、下端部又は側方端部を含めると、３点でサイドシール袋がしっかりと支持されることになり、付属品を収納したサイドシール袋が包装容器から脱落することはない。
【００１２】
また、包装容器の幅方向に販促用サイドシール袋をずらし、第１の粘着材層と第２の粘着材層が部分的に接触し接着させると、サイドシール袋はさらに強固に支持されることになる。
【図面の簡単な説明】
【００１３】
【図１】（Ａ）は実施例１に係る販促用サイドシール袋の斜視図であり、（Ｂ）は図１（Ａ）におけるＢ−Ｂ線に沿う断面図である。
【図２】実施例２に係る販促用サイドシール袋の製造方法を説明する概念図である。
【図３】（Ａ）は付属品を収納した販促用サイドシール袋の正面図であり、（Ｂ）は販促用サイドシール袋を詰め替えパウチに貼り付けて使用する方法を説明する図であり、（Ｃ）は図３（Ａ）におけるＣ−Ｃ線に沿う断面図である。
【図４】本発明に係る販促用サイドシール袋を化粧品等の容器に貼り付けて使用する方法を説明する図であり、（Ａ）は正面図であり、（Ｂ）は側面図（サイドシール袋の部分は、断面端面図）である。
【発明を実施するための形態】
【００１４】
包装容器から販促用の付属品が分離して脱落しない販促用サイドシール袋を得るという目的を、包装容器の端部を包み込むようにフラップを折り曲げて、２箇所で接着するという構成によって実現した。以下、本発明の実施例を図面を参照しながら説明する。
【実施例１】
【００１５】
図１（Ａ）は、実施例１に係る販促用サイドシール袋の斜視図である。図１（Ｂ）は、図１（Ａ）におけるＢ−Ｂ線に沿う断面図である。実施例１に係る販促用サイドシール袋１０は、二軸延伸ポリプロピレンフィルムと無延伸ポリプロピレンフィルムの多層フィルムで形成され、透明であり、上方に開口部１を有する収納袋２と、収納袋２の開口部１の縁から延びて設けられたフラップ３とを備える。フラップ３を開口部１を閉じる方向に折り曲げた場合に、フラップ３の、収納袋２と接触する側の面に第１の粘着材層４が設けられている。また、フラップ３を開口部１を閉じる方向に折り曲げた場合に、収納袋２の、フラップ３と接触する側の面に第２の粘着材層５が設けられている。第１及び第２の粘着材層４，５は、粘着剤である例えばサイビノール（登録商標）ＡＴ−４０２（サイデン化学製）で形成される。開口部１を通じて、収納袋２の中に販促用の付属品である景品、使用説明書などが納められる。なお、第１及び第２の粘着材層４，５の表面は、図示しないが、離型剤フィルム（ＨＤＰＥ）を用いて保護される。
【実施例２】
【００１６】
図２は、このような販促用サイドシール袋１０の製造方法を説明する概念図である。まず、ロール状のフィルム原反１１を準備する。フィルム１１をロールから引っ張り出しながら、三角板１２に沿って半折する。フィルムは進行方向に対して９０°回転して折り畳まれる。三角板１２を通過後、塗工機１４により、第１の粘着材層４と第２の粘着材層５の溶液を塗布し、乾燥機１５により第１の粘着材層４と第２の粘着材層５の溶液中の溶剤を揮発させ、離型紙貼り付け機１６により、第１の粘着材層４と第２の粘着材層５の上に離型紙を貼り付ける。その後溶断刃１３により溶断シールされ、販促用サイドシール袋１０が形成される。
【実施例３】
【００１７】
得られた販促用サイドシール袋１０は、たとえば自立型袋である詰め替えパウチに貼り付けて使用される。図３（Ａ）を参照して、販促用サイドシール袋１０の収納袋に景品、使用説明書などの付属品７を入れる。第２の粘着材層５を用いて、パウチ８の裏面側の側壁８ａにサイドシール袋６を貼り付け、パウチ８の上端部９を包むようにフラップ３を折り曲げて、第１の粘着材層４を用いて、フラップ３を表側の側壁８ｂに貼り付けて使用する。パウチの上端部９を包み込むようにフラップ３を折り曲げて、２箇所で接着することにより、結局パウチ８の上端部９を含めると３点でサイドシール袋が支持されることになり、付属品７を収納したサイドシール袋１０が包装容器から離れて脱落することはない。
【００１８】
販促用サイドシール袋１０をパウチ８の幅方向にずらせて貼り付けた場合において、上端部９から第２の粘着剤層５までの距離Ｌ１と、上端部９から第１の粘着剤層４までの距離Ｌ２とを等しくすると、第１の粘着材層４と第２の粘着材層５とが部分的に接触して接着し、より強く販促用サイドシール袋１０がパウチ８に固定される。
【実施例４】
【００１９】
上記実施例２では、商品の上端部を包み込むように、サイドシール袋を取り付ける場合を例示したが、この発明はこれに限られるものでない。図４（Ａ）（Ｂ）を参照して、下端部１７を包むようにしてもよい。すなわち、包装容器（化粧品の容器を例示する）の一方の側壁８ａに第１の粘着材層５を用いてサイドシール袋１０を貼り付け、収納袋２に販促用の使用説明書などの付属品７を入れ、包装容器の下端部１７を包むようにフラップ３を折り曲げて、第２の粘着材層４を用いて、フラップ３を包装容器の他方の側壁８ｂに貼り付けてもよい。
【００２０】
さらに、商品の上端部及び下端部以外に、商品の側方端部を包み込むように、サイドシール袋を貼り付けても同様の効果が得られる。
【００２１】
なお、上記実施例では、サイドシール袋の素材として二軸延伸ポリプロピレンフィルムと無延伸ポリプロピレンフィルムの多層フィルムを例示したが、本発明はこれに限られるものでなく、ヒートシール、溶断シールでシール可能であれば、いずれのものも使用できる。また、形状についても上記例は一例であり、フラップのついた形状であればいずれの袋形状のものでもよい。また、製袋方法についても、特に限定されない。
【００２２】
なお、上記実施例では商品グッズとして詰め替えパウチと化粧品などの容器を例示したがこの発明はこれに限られるものでなく、薬品包装容器とその使用説明書の組み合わせ、洗剤包装容器と景品の組み合わせ等、種々のものに応用することができる。
【００２３】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２４】
本発明の販促用サイドシール袋によれば、包装容器から景品、使用説明書などの付属品が脱落しない。
【符号の説明】
【００２５】
１          開口部
２          収納袋
３          フラップ
４          第１の粘着材層
５          第２の粘着材層
６          サイドシール袋
７          付属品
８          パウチ
８ａ、８ｂ  側壁
９          上端部
１０        販促用サイドシール袋
１１        フィルム原反
１２        三角板
１３        溶断刃
１４        塗工機
１５        乾燥機
１６        離型紙貼り付け機
１７        下端部
【図１】
2014125252.tif 000003
【図２】
2014125252.tif 000004
【図３】
2014125252.tif 000005
【図４】
2014125252.tif 000006